Podtech/llm-jp-corpus-v4-ja_patent huggingface dataset:
(57)【要約】【課題】従来のケープだけでは首が寒い、又  マフラーだけでも肩が寒いのでケープとマフラーを一体化して首、肩両方を暖かくする。【解決手段】ケープで肩をマフラーで首を同時に暖めるためケープとマフラーを一体化させるもので、これによる着衣の着崩れもなく保温性とファッション性を兼ね備えた実用性に優れる。【選択図】  図１
0003111747.tif 000002
【実用新案登録請求の範囲】
【請求項１】
背中側部分と胸側部分の重なりよりなり、しかも肩部分で両部分を縫い合わせると共に、肩から腕への部分を非縫い合わせ部分（スリット）とし、更に左、右胸側前垂れの一方は長くして首に巻くと共に、他方は短く胸前で納めしかも長い方を首に巻かぬ時は胸側の上で留めるケープ兼マフラー。
【請求項２】
首筋から肩関節、更にスリットに至る長さと前垂れの巾間がほぼ同一とし、請求項１の記載のケープ兼マフラー。
【考案の詳細な説明】
【技術分野】
【０００１】本考案は  肩に羽織り、同時に首にも巻く  ケープやマフラーに関するものです。
【背景技術】
【０００２】従来のものは  明治時代に“首巻兼用肩掛け”として公開されていますが  それは首、肩それぞれ独立して暖めていました。本考案は首、肩の部分を一体化して暖かく過せる工夫した技術です。
【考案の開示】
【考案が解決しようとする課題】
【０００３】従来のものでは  首と肩の間に冷気が入り込み、僅かの動きで生地が重なり見栄えが悪くなります。本考案では首、肩が保温され  又、ファッション性にも優れています。
【課題を解決するための手段】
【０００４】課題を解決するためにケープとマフラーを一体化する事が良いと考えます。背中側部分と胸側部分を縫い合わせ  肩から腕への部分は（スリット）にする。更に左、右胸前垂れの一方を少し長くして首に巻けるようにします。
【考案の効果】
【０００５】本考案はケープのように肩の納まりが良く．着衣ずれが無く、マフラーのように首に巻くので暖かく、保温性があります。又  ファッション性もある。優れものです。
【考案を実施するための最良の形態】
【０００６】本考案のケープ兼マフラーは首筋から肩関節まで縫い  非縫い部分（スリット）は腕が自由に動くように開けておきます。左、右胸前垂れの一方を長くして首に巻き、巻かない時は胸上で留めておく。【０００７】首筋から肩関節更にスリットに至る長さ（０）と前垂れの巾間（０）がほぼ同一にすると保温性が保たれる。【０００８】本考案の布の素材はマフラー、ショール用素材で首に巻けるようなやわらかなものが向いています。（カシミヤ、ウール等）
【実施例１】
【０００９】着用にあたっては体型別に２種類位のサイズが望ましくゆったりした仕立てで、フリーサイズも良い。
【実施例２】
【００１０】ケープ兼マフラーは背中部分と胸部分を縫い合わせるが肩線に沿って縫う方法、真っ直ぐに縫う方法がある。
【実施例３】
【００１１】この考案は  コートの下に着ると肩も首も暖かくなり。夜着の上に羽織って寝ると  肩も首も温まると共に手も足も次第に暖かくなる、優れものです。
【実施例４】
【００１２】左、右胸前垂れの長い方に  マジックテープ、スナップ、モヘヤ系の軟らかい  ボタン等で胸上にとめる形状にすることも出来る。
【実施例５】
【００１３】本考案の首回りにモヘアや同じ生地でロール衿を施すのもオシャレな感じを与えます。
【図面の簡単な説明】
【図１】左、右胸側前垂れ図  （破線部分は背中側）
【図２】横肩側（スリット）が入っている図
【符号の説明】
１：  首筋から肩
２：  スリット
【図１】
0003111747.tif 000003
【図２】
0003111747.tif 000004
(57)【要約】      （修正有）【課題】粘着のりの粘着力によってマグネットとマグネット付金属板をどんな素材にもはることができ、どこにでも磁着個所をつくることができる粘着のりのついたマグネットを提供する。【解決手段】マグネット１マグネット付き金属板２に粘着のり３を塗布し離ケイ紙４を貼ったものである。【選択図】図１
0003111741.tif 000002
【実用新案登録請求の範囲】
【請求項１】
マグネットの片面に粘着のりを塗布した、粘着のり付マグネットである。
【請求項２】
金属板の片面に、粘着のりを塗布した、粘着のりがついた金属板付マグネットである。
【考案の詳細な説明】
【考案の詳細な説明】
この考案は、マグネット、および金属板の片面に、粘着のりを塗布し、離ケイ紙を貼ったものである。
従来、マグネット商品には、家庭用品、文具、玩具、作業用具、衣類等たくさんあります。しかし磁着個所は、スチール面だけであり、当然使う場所は、限定され、不便な場合が多かった。
本考案は、その欠点を除くためになされたものでそれを図面について説明すればマグネット▲１▼マグネット付き金属板▲２▼に粘着のり▲３▼を塗布し離ケイ紙▲４▼を貼ったものである。
本考案は、このような構造であるから粘着のり▲３▼の粘着力によってマグネット▲１▼とマグネット付金属板をどんな素材にもはることができ、どこにでも磁着個所をつくることができる。
【図面の簡単な説明】〔図１〕
本考案の断面図である。
【符号の説明】
１  は  マグネット
２  は  マグネット付金属板
３  は  粘着のり
４  は  離ケイ紙
【図１】
0003111741.tif 000003
(57)【要約】【課題】従来、ドリルなどでの天井部分の穴あけ作業では、足場を組んだり脚立などを利用したりして、作業箇所の移動のたびに昇ったり降りたりと面倒だった。また作業箇所の真下には資材などが置かれていたりして、足場が組めなかったり脚立が置けないような状況もあった。【解決手段】足場や脚立を使用せずとも天井などに穴あけ作業するためには、延長棒の先に電動工具を取り付け、床あるいは地面から直接作業個所に届くようにすることである。もちろん可搬性や収納性も考慮する必要である。そのために、伸縮棒（１）にプレート（２）を取り付け、そこにスイッチ付ハンドル（３）を取り付けた。【選択図】図１
0003111743.tif 000002
【実用新案登録請求の範囲】
【請求項１】
伸縮棒に電源ケーブル及び、電気スイッチを持つハンドルを取り付けた構造
【考案の詳細な説明】
【考案の詳細な説明】
【技術分野】
【０００１】本考案は、伸縮棒の端にスイッチ付ハンドルを取り付けたものに関するものである。
【背景技術】
【０００２】従来、高枝鋏や高枝鋸など工具類を棒の先に取り付け、離れた個所の作業を効率的に行う道具類はあった。しかし、電気を必要とする電動工具を棒の先に付けて使う道具はなかった。
【考案の開示】
【考案が解決しようとする課題】
【０００３】ドリルなどでの天井部分の穴あけ作業では、足場を組んだり脚立などを利用したりして、作業箇所の移動のたびに昇ったり降りたりと面倒だった。また、作業箇所の真下には資材などが置かれていたりして、足場が組めなかったり脚立が置けないような状況もあった。【０００４】足場や脚立を使用せずとも天井などに穴あけ作業するためには、延長棒の先に電動工具を取り付け、床あるいは地面から直接作業個所に届くようにすることである。しかし電動工具類を棒の先に取り付けても、スイッチ類が手元から離れていては操作が出来ない。従って、手元でスイッチ操作ができなくてはならない。もちろん可搬性も考慮し、収納性も必要である。
【課題を解決するための手段】
【０００５】本考案はそれらの課題を満足させるために考えられたもので、図面について説明をすれば伸縮棒（１）にプレート（２）を取り付け、そこにハンドル（３）を取り付けたものである。電気スイッチを持つハンドルには、コンセントへ伸びるケーブルａ（４）と、電動工具に電気を供給するケーブルｂ（５）が付帯し、電動ドリルなどを使用することができるようになっている。【０００６】したがって伸縮棒の片側の端にドリルなどを固定しコンセントをつなげば、離れた場所にもドリルが届き、ハンドル内のスイッチで始動・停止が出来、作業がしやすくなる。つまり手元にスイッチを付けたことにより、電動工具の操作を可能にしたわけである。延長棒に伸縮機能を持たせたのは、可搬性、収納性のためである。
【考案の効果】
【０００７】電動工具類を棒の先に取り付けて、主に天井などの離れた作業個所で作業を行うと、足場を組むこともなくまた脚立も使わずに済むので、作業効率が一段と高まることになる。
【考案を実施するための最良の形態】
【０００８】図１について説明すると、アルミなどのパイプで出来ている伸縮機能のある延長棒（１）を利用して、収納時に一番外側になる太いパイプの末端部にプレート（２）を取り付ける。つぎにドアの取っ手のような形状をしたハンドル（３）を取り付ける。（５）のケーブルｂを結束バンドなどで、延長棒（１）にとめる。【０００９】このようにして構成されたものを使用するときは、図３において専用の金具を用いて取り付けたドリルのコンセントをケーブルｂ（５）と連結し、（３）のハンドルで支えながらハンドルに付属のスイッチで操作する。また、（６）のホルダで支えながら使用すると安定感が増す。電動工具の途中のケーブルはビニールテープや結束バンドなどで止めると良い。
【図面の簡単な説明】
【００１０】
【図１】本考案の正面図である。
【図２】本考案の斜視図である。
【図３】本考案の実施例を示す図である。
【符号の説明】
【００１１】１  伸縮棒  ２  プレート  ３  ハンドル  ４  ケーブルａ
５  ケーブルｂ  ６  ホルダ
【図１】
0003111743.tif 000003
【図２】
0003111743.tif 000004
【図３】
0003111743.tif 000005
(57)【要約】      （修正有）【課題】経管栄養を摂取させられている患者の使用しているチューブ型胃ろうカテーテルは、その接続口が外部栄養チューブとの接続が容易である為、現在胃ろうカテーテルの主流であるが、その利点である長い接続部分が、患者の体の下に巻き込まれたり、隠れたりして、その結果として胃ろうから抜け落ちてしまうことを低減させること。【解決手段】医療関係者による施療の妨げにならず、チューブ型胃ろうカテーテルを使用させられている患者が、直接肌に着用することで、チューブ型胃ろうカテーテルの、外部栄養チューブとの接続部分を束めて、収納出来るようにした逆ポケット状の布地部品を付けた背中と両脇のない介護ベスト。【選択図】図１
0003111742.tif 000002
【実用新案登録請求の範囲】
【請求項１】
食物を口から摂取すると、むせ込んだり吐いたりしてしまう患者に使用される、チューブ型と呼ばれる胃ろうカテーテルの、栄養チューブ接続部分を束ねて収納できるようにした、開閉自在の逆ポケット状の布地部品を取り付けた、背中と両脇のない介護ベスト
【考案の詳細な説明】
【考案の詳細な説明】
【産業上の技術分野】
【０００１】  本考案は、介護福祉の分野、特に寝たきり等、自ら身動きすることの困難な患者等の、快適な療養生活に寄与すると同時に、現場の医療サービスをより安全確実なものにすることを目的とする分野に関するものである。
【背景技術】
【０００２】  自ら身動きすることの困難な患者等のベッドで使用されるねまきとしては、様々な検査、施療に便利なように、前打ち合せ型のものが採用されている。【０００３】  又、前記のような患者の中には、食物を口から摂取すると、むせ込んだり吐いたりしてしまう患者も少くなく、そのような患者には体外から胃に穴（胃ろうという）をあけて、そこに胃ろうカテーテルと呼ばれる器具を差し込んで、経管栄養と呼ばれる流動食物を直接胃の中へ投与されている。
【考案の開示】
【考案が解決しようとする課題】
【０００４】  胃ろうカテーテルを使用して、経管栄養を投与されている患者の多くには、ボタン型とチューブと現在２種類ある胃ろうカテーテルのうち、チューブ型の方を主に使用されているのだが、このチューブ型胃ろうカテーテルは、ボタン型に比して投与時に外部の栄養チューブとの接続が容易かつ手早く出来るという施療上のメリットがある反面、非投与時には露出したカテーテルの接続部が邪魔でもあり、患者の少しの動きでも患者の体の下へ巻き込まれたり、隠れたりして、その結果、胃ろうから抜け落ちてしまうことも、まま起こっている。
【課題を解決するための手段】
【０００５】  本考案は、チューブ型の胃ろうカテーテルを使用して、経管栄養を投与されている患者に、その着せられている、前打ち合せ型ねまきの下に、つまり肌に直接、胃ろうカテーテル収納部品付背中と両脇のない介護ベストを着てもらう。【０００６】  胃ろうカテーテル収納部品付背中と両脇のない介護ベストとは、背中と両腕を通す部分がなく、左右の前身頃をマジックテープで合せ目を固定したりはがしたりして、左右に自由に開閉することが出来て、しかも左右の前身頃のどちらか一方に逆ポケット状のチューブ型胃ろうカテーテルを収納する部品が付いている。【０００７】  逆ポケット状のチューブ型胃ろうカテーテル収納部品とは、前記のベストと共布又は別布で、左右の前身頃の一方に、普通のポケットよりやや大きめに縫い付ける布地部品なのだが、逆ポケット状とあるように、天地を逆にして、地の方を上にした状態で、しかも、その地の部分の上３分の１しか、縫い付けず、残りの部分はその端をつまんでふたのように開けることが出来るようにしてある。【０００８】  しかも、このふたのように開けることが出来る部分には、その端にマジックテープがつけられていて、チューブ型胃ろうカテーテルの非投与時の、胃ろうから延びた邪魔になるおそれのあるカテーテルを束ねて収納させ、安定固定させることが出来るようになっている、こういう部品の付いた背中と両脇のない介護ベストを提案する。
【考案の効果】
【０００９】  本考案の、胃ろうカテーテル収納部品付背中と両脇のない介護ベストを着用した患者には、投与を行う際、医療関係者が、胃ろうカテーテルと外部の栄養チューブとの接続に際して、チューブ型胃ろうカテーテルの接続部を患者の体の周辺で探し廻ることもなくなり、非投与時においては、長く延びた胃ろうカテーテルを束ねて、患者の胸下辺りに収納安定固定することが出来るので、これまでのように、患者の小さな動きでも、チューブ型胃ろうカテーテルの接続部が、患者の体の下へ巻き込まれたり隠れたりして、その結果として胃ろうから抜け落ちてしまうことを極めて少なくすることが出来る。【００１０】  その上、本考案になる介護ベストは、前打ち合せ型ねまきを使用させられている患者の胸元、肩口を寒さや冷気から守ることも出来、寒さや冷気によってひき起こされる病気や疾患から患者を守ることもあわせて出来る上に、背中部分が殆ど何もないので、自ら身動きすることの困難な患者等の、床ズレの新らたな原因になることもない。【００１１】  そして、本考案になる介護ベストは左右の前身頃をマジックテープで固定できるベストでありながら、背中部分が殆どなく、両脇がないため、介護人が患者にこれを着脱させることが極めて容易である。
【図面の簡単な説明】
【図１】本考案の平面図を示している。その記号の意味するところは以下のごとく。  Ａ−１：首のうしろに当たる部分で、首の長短を考慮しても、その幅は１０センチメートル以下が望ましい。  Ａ−２：右前身頃となる部分  Ａ−３：左前身頃を示し、本図は左前身頃が上から重なるよう出来ている。  Ｂ−１：２ヶ所を示しているが、これはマジックテープを示している。  Ｂ−２：２ヶ所を示して、Ｂ−１のマジックテープの相手を示している。  Ｃ：逆ポケット状の、胃ろうカテーテルの接続部の収納部分を示している。これはその位置と形状を実線で示し、破線で示している部分（Ｃ−１）は本体に縫い付けていることを示している。つまり本体に縫い付けられているのは、この逆ポケット状の部品の上から３分の１の部分だけで、残りは自由に開閉できるように作られ、ここ（Ｃ−Ｘ）を持ち上げてその中へ、胃ろうカテーテルの接続部の束ねたものを収納した後に、Ｃ−３にあるマジックテープで安定固定させることが出来る。  Ｃ−１：縫い取り線  Ｃ−２：縫い取りの端末を示している。  Ｃ−３：マジックテープを示している。  Ｃ−Ｘ：この部分を持ってこの逆ポケット状のふたを開閉させる。  Ｄ：左右の前身頃と首のうしろに当たる部分の切り換えを示している。
【図２】本考案製品を着用した場合の前面を示している。尚、斜線の部分が当該考案製品。
【図３】本考案製品を着用した場合の背面を示している。尚、斜線の部分が当該考案製品。
【図１】
0003111742.tif 000003
【図２】
0003111742.tif 000004
【図３】
0003111742.tif 000005
(57)【要約】【課題】    従来、梱包用に使われた楔の材料はタンネージ等に用いられる無垢の木材や平行合板が使われていた。楔の寸法は通常小さな木片になり、そこに大きな釘を複数本打ち込むため、楔がよく割れていた。【解決手段】  合板の各単板の木目方向を交互に、または任意の箇所で垂直にし、任意の厚みまで積層・接着する。通常、合板の厚みは約３０ｍｍ程までだが、本考案の合板は１００ｍｍを超える厚みも得ることができる。この合板を楔の任意の寸法に切断し、楔を得る。合板の木目の持つ、割れる方向が各単板によって異なるために割れにくくなり、作業性も向上する。【選択図】    図１
0003111748.tif 000002
【実用新案登録請求の範囲】
【請求項１】
合板を用いた梱包用材の楔。
【考案の詳細な説明】
【技術分野】
【０００１】  この考案は、荷物を安全に固定梱包する際に用いる、合板製の楔に関するものである。
【背景技術】
【０００２】  従来、梱包材として用いられる楔はダンネージ等に用いられる、無垢の木材か、平行合板を楔用にも使用していた。
【考案の開示】
【考案が解決しようとする課題】
【０００３】  従来の無垢の木材や平行合板を用いた楔は、小さな木片になった楔に大きな釘を複数本打つため、割れやすかった。本考案は、このような欠点を少なくし、作業性を上げるものである。
【課題を解決するための手段】
【０００４】  平行合板は各単板の木目方向を同じ方向にして積層するが、割れを少なくするために各単板の木目方向を交互に、または任意の箇所で垂直にして、任意の厚さまで積層し、接着する。この合板を任意の寸法に切断し、楔を得る。
【考案の効果】
【０００５】  太い釘を複数本打ち込んでも、木目の持つ、割れる方向性が各単板によって異なるために割れにくくなり、作業性も向上する。
【考案を実施するための最良の形態】
【０００６】  合板の各単板の木目方向を垂直にし積層接着し、任意の厚さの合板を作る。通常、合板の厚みは約３０ｍｍ程までだが、本考案の合板の厚みは１００ｍｍを超えるものも、得ることができる。この際、薄手の普通合板の端材があり、適当な寸法があれば、これも積層でき、産業廃材を少なくすることができる。楔の任意の寸法に合板を切断し、楔をつくる。
【産業上の利用可能性】
【０００７】  合板の楔を使用することで、割れが減少し、作業性は上がる。更に昨今、木製梱包材に関する国際基準が各国で承認され始めた。この基準は国際貿易に使用される梱包材を消毒処理することを要求している。従来の木材を利用した梱包用の楔は消毒処理し、処理済を表示するための、定められたスタンプを押すことが要求された。  しかし、既に加工材である合板を利用した梱包用材は、この基準の対象から外されている。因って、消毒処理やスタンプ押印の必要はない。以上のような、新たな木製梱包材の環境の中、本考案の合板製梱包用楔が利用される可能性は大である。
【図面の簡単な説明】
【０００８】
【図１】  本考案の一例の斜視図である。
【記号の説明】
【０００９】１    長さ方向に木目を持つ単板
２    幅方向に木目を持つ単板
【図１】
0003111748.tif 000003
(57)【要約】      （修正有）【課題】頭部、頚椎、気道への負担になる様な、首に不自然な傾斜を付けることなく、枕が就寝中に頭から外れたり、ずれたりしない枕を提供する。【解決手段】枕を骨に似た形で作り、首を支える部分１と左右の凸部分２に、頭と首と肩がしっかりと組み合わさった形になることで、自然と顎が上を向き、枕が外れにくくなるのが特徴です。【選択図】図１
0003111740.tif 000002
【実用新案登録請求の範囲】
【請求項１】
枕を骨に似た様な形で作り、首を支える部分（１）の湾曲、左右の凸部分（２）の膨らみを設けた首枕
【考案の詳細な説明】
【考案の詳細な説明】
枕を骨に似た様な形で作り、首を支える部分（１）と、左右の凸部分（２）の湾曲に、頭、首、肩がしっかりと組み合わさった形となる。本考案は、このような構造であるから、自然と顎が上を向く体勢となり、枕が頭から外れにくくなる。
一般的な枕では、首に不自然な傾斜が出来て、イビキ、寝違え、不眠、寝不足、頚椎を圧迫し、脳への血行不良の為頭痛になったり、様々な睡眠障害がおこります。又どんなに良い枕でも就寝時に頭から外れたり、ずれたりと言うことが起これば睡眠障害をもたらします。。この考案はその欠点を補う為になされたものである。  睡眠時無呼吸症候群の方等、舌根沈下し、気道が圧迫される為かえって枕は  使用しないほうが良いと言う方でも、顎が自然と上を向き（図２）、気道が  確保できる体勢で使用することができる。なお、本考案の枕（図１）は、首を支える部分（１）および、左右の凸部分の高さ、中身の素材を変え、柔らかさ、感触は自由に変えられる。また用途は、乳幼児から寝たきりの老人まで、車でのヘッドレストと頭の隙間を埋めるものとして、腰枕として、さまざまな使い道が可能である。
【図面の簡単な説明】
【図１】本考案の傾視図である。
【図２】本考案の使用中の傾視図である。
【符号の説明】
１は、首を支える部分
２は、左右の凸部分の膨らみ
【図１】
0003111740.tif 000003
【図２】
0003111740.tif 000004
(57)【要約】      （修正有）【課題】丸鋸定規を丸鋸機械に固定させる際、ボルトネジを回している最中に発生するずれをなくす為に、ネジ回し用工具不要なクランプを使用し、簡単かつ確実にロックさせる。【解決手段】丸鋸定規を丸鋸機械に差し込み、ロックした状態（クランプ本体レバー２を下げた時に押し出しピン４の出ている状態）での高さ調整をするためにクランプ本体１を止まるまで回す。次に丸鋸機械を固定するために蝶ネジ６をしっかり締める。その状態でクランプ本体レバー２を上げるとロックが解除され、丸鋸定規をスライドさせ切断寸法に合わせることができる。位置が決まってからそのままクランプ本体レバー２を左右どちらかに倒せば、ずれることなく簡単かつ確実にロックすることができる。更にクランプ本体レバー２は左右どちらにも倒すことができる。【選択図】図１
0003111731.tif 000002
【実用新案登録請求の範囲】
【請求項１】
丸鋸定規を丸鋸機械に固定させる際に、クランプ本体レバーの上下と蝶ネジの閉めを利用することにより、目盛を切断寸法に合わせて簡単かつ確実にロックさせ、ネジ回し用工具が不要になる。更に本体レバーを左右どちらにも倒すことができるので、ロック位置を選ばず使用することが出来る丸鋸定規スピードクランプ。
【考案の詳細な説明】
【技術分野】
【０００１】  本考案は、丸鋸定規を丸鋸機械に固定させる際に使用するクランプに関するものである。
【背景技術】
【０００２】  丸鋸定規を丸鋸機械に固定させる際、ボルトネジを回して固定させていた。
【考案の開示】
【考案が解決しようとする課題】
【０００３】  丸鋸定規を丸鋸機械に固定させる際、ボルトネジを回している最中に微妙にずれたり、その都度調整しなければならないというわずらわしさがあり、前途の欠点を解決しようとするものである。
【課題を解決するための手段】
【０００４】  本考案は、丸鋸機械に丸鋸定規を差し込み、ロックした状態（クランプ本体レバー２を左右どちらかに倒した時に中空ネジ３内部にある押し出しピン４の出ている状態）での高さ調整をするためにクランプ本体１を止まるまで回す。丸鋸機械に固定するために蝶ネジ６をしっかり締める。その状態でクランプ本体レバー２を上げるとロックが解除され、丸鋸定規をスライドさせ切断寸法に合わせることができる。位置が決まった後そのままクランプ本体レバー２を倒せば、高さ調整をしてロックした状態に戻るだけなので、ずれることなく簡単かつ確実にロックすることができるということにより問題点を解決している。【０００５】  更にクランプ本体レバー２は左右どちらにも倒すことができるので、ロック位置を選ばず使用することが出来る。
【考案の効果】
【０００６】  上述のようにネジ回し用工具が不要になり、クランプ本体レバー２を左右に倒すことでロックができ、このことにより、素早くかつ正確に丸鋸定規を切断寸法に合わせることができる。又、本体をネジ部と一体化させることにより、ネジ回し用工具が不要になると同時に生産過程に於いてもコストダウンにつながる。
【図面の簡単な説明】
【０００７】
【図１】本考案の丸鋸定規スピードクランプの取り付け時の状態を示す図面である。
【図２】本考案の丸鋸定規スピードクランプの正面断面図である。
【図３】本考案の丸鋸定規スピードクランプの本体レバーを下げ、押し出しピンが出てロックされた状態の正面断面図である。
【図４】本考案の丸鋸定規スピードクランプの正面図である。
【図５】本考案の丸鋸定規スピードクランプの側面図である。
【符号の説明】
【０００８】１  クランプ本体
２  クランプ本体レバー
３  中空ネジ
４  押し出しピン
５  戻しスプリング
６  蝶ネジ
【図１】
0003111731.tif 000003
【図２】
0003111731.tif 000004
【図３】
0003111731.tif 000005
【図４】
0003111731.tif 000006
【図５】
0003111731.tif 000007
【手続補正書】
【提出日】平成16年12月27日(2004.12.27)
【手続補正１】
【補正対象書類名】実用新案登録請求の範囲
【補正対象項目名】全文
【補正方法】変更
【補正の内容】
【実用新案登録請求の範囲】
【請求項１】
丸鋸定規を丸鋸機械に固定させる際に使用するクランプにおいて、中空ネジ部３内部に押し出しピン４を有し、前記中空ネジ部３と一体化させたクランプ本体１の上方部に左右どちらにも倒すことができるクランプ本体レバー２を取着し、前記中空ネジ部３に丸鋸機械に固定する蝶ネジ６を螺着せしめることを特徴とする丸鋸定規スピードクランプ。
(57)【要約】【課題】とくに、幼い子供の交通安全対策として、スイッチ操作を不要にし、つけ忘れ、消し忘れのない発光傘を得る。【解決手段】柄部分に収納したバッテリ、並びに傘軸２、親骨４、親骨４を傘軸２に回動自在に支持する上ろくろ５に配置した配線及び分電盤を含む電気回路手段と、石突き６、または親骨４の先端、またはその双方に設けて電気回路手段から給電される発光素子とを具える発光傘１において、上ろくろ５に電気回路手段の第１接点９を設け、先端を親骨４の中間部分に回動自在に連結した支骨１４の基端を回動自在に支持して傘軸２に沿って摺動自在に案内される下ろくろ１３に第２接点１５を設ける。傘を開くとき第１接点９と第２接点１５とが接触して発光素子が自動的に点灯し、傘を閉じるとき第１接点９と第２接点と１５が分離して発光素子が自動的に消灯する。【選択図】図１
0003111773.tif 000002
【実用新案登録請求の範囲】
【請求項１】
柄部分に収納したバッテリ、並びに傘軸、親骨、前記親骨を前記傘軸に回動自在に支持する上ろくろに配置した配線及び分電盤を含む電気回路手段と、
石突き、または親骨の先端、またはその双方に設けて前記電気回路手段から給電される発光素子と
を具える発光傘において、
前記上ろくろに前記電気回路手段の第１接点を設け、
先端を前記親骨の中間部分に回動自在に連結した支骨の基端を回動自在に支持して前記傘軸に沿って摺動自在に案内される下ろくろに第２接点を設け、
前記傘を開くとき前記第１接点と前記第２接点とが接触して前記電気回路手段を閉成して自動的に発光素子を点灯させ、傘を閉じるとき前記第１接点と前記第２接点とが分離して前記電気回路手段を遮断し自動的に発光素子を消灯する構成としたことを特徴とする発光傘。
【請求項２】
前記第１接点及び第２接点のうちの少なくとも一方は、互いに接近する方向に押圧されるばね弾性を有する構造にし、傘を開ききってロックされる前に接点相互が接触可能にした請求項１記載の発光傘。
【考案の詳細な説明】
【技術分野】
【０００１】
本考案は、柄部分に収納したバッテリ、並びに傘軸、親骨、親骨を傘軸に回動自在に支持する上ろくろに配置した配線及び分電盤を含む電気回路手段と、石突きまたは親骨の先端またはその双方に設けて電気回路手段から給電される発光素子とを具える発光傘に関するものである。
【背景技術】
【０００２】
このような発光傘としては、従来柄の部分に設けたスイッチをオン・オフ操作することによって、石突きまたは親骨の先端に設けた発光素子の点灯及び消灯を制御するものがある。（例えば、特許文献１参照。）
【特許文献１】特許第３４６１１６４号公報
【考案の開示】
【考案が解決しようとする課題】
【０００３】
しかし、従来の発光傘においては、柄の部分のスイッチでオン・オフ操作しなければならないため、とくに、幼児や児童は、スイッチのオン・オフ操作を忘れがちであり、傘を閉じてもスイッチのオフ操作をせずに発光素子をつけっぱなしにし、不当にバッテリを消耗したり、傘をさす場合にもスイッチをオン操作せず、発光素子が点灯せず、安全対策にならなかったりする。
【０００４】
したがって、本考案の目的は、とくに、幼い子供の交通安全対策として、スイッチ操作を不要にし、つけ忘れ、消し忘れのない発光傘を得るにある。
【課題を解決するための手段】
【０００５】
この目的を達成するため、本考案発光傘は、上ろくろに前記電気回路手段の第１接点を設け、
先端を親骨の中間部分に回動自在に連結した支骨の基端を回動自在に支持して傘軸に沿って摺動自在に案内される下ろくろに第２接点を設け、
傘を開くとき第１接点と第２接点とが接触して電気回路手段を閉成して自動的に発光素子を点灯させ、傘を閉じるとき第１接点と第２接点とが分離して電気回路手段を遮断し自動的に発光素子を消灯する構成としたことを特徴とする。
【考案の効果】
【０００６】
本考案によれば、傘の開閉にともなって自動的に発光素子が点灯及び消灯するため、スイッチ操作は不要であり、つけ忘れ、消し忘れは全くなくなる。
【考案を実施するための最良の形態】
【０００７】
本考案発光傘の好適な実施例においては、第１接点及び第２接点のうちの少なくとも一方は、互いに接近する方向に押圧されるばね弾性を有する構造にし、傘を開ききってロックされる前に接点相互が接触可能にする。
【０００８】
次に、図面につき、本考案の好適な実施例を詳細に説明する。
【実施例１】
【０００９】
図１は、本考案による発光傘１を開ききる前の傘軸２の先端部分における線図的説明図であり、分かりやすくするため傘布は省略して示す。本考案によれば、傘軸２の基端における柄部分に収納したバッテリ（図示せず）から給電される電気回路手段を有する。好適な実施例においては、電気回路手段における分電盤３を、親骨４（２本のみ図示する）を傘軸２に回動自在に支持する上ろくろ５に配置する。この上ろくろ５の上方には石突き６が位置する。
【００１０】
バッテリ（図示せず）の＋側に接続した＋コード７は、傘軸２の内部を経て上ろくろ５に設けた分電盤３の＋端子８に接続する。バッテリ（図示せず）の−側に接続した−コード９は、やはり傘軸２の内部を上行して上ろくろ５の下側端面に設けた第１接点１０に接続する。
【００１１】
例えば、すべての親骨４の先端にそれぞれ設けた、または石突き６に設けた発光素子、好適には任意の色のＬＥＤ（図示せず）から延びる接続コード対の一方の接続コード１１を分電盤３における＋端子８に接続し、接続コード対の他方の接続コード（図示せず）を分電盤３の−端子１２に接続する（図示せず）。
【００１２】
さらに、−端子１２に接続した接点コード１３を、親骨のうちの一本の親骨４′、この親骨４′の中間部分および下ろくろ１４に回動自在に連結した支骨１５を経て、下ろくろ１４の上側端面に設けた第２接点１６に接続する。
【００１３】
本考案によれば、下ろくろ１４を矢印Ａで示すように傘軸２に沿って上方に移動して傘を開ききってロック状態になるとき、第１接点１０と第２接点１６とが接触することによって、電気回路手段が閉成する。このとき、傘に設けた発光素子（図示せず）が自動的に点灯する。また、傘を閉じるとき第１接点１０と第２接点１６とが分離して電気回路手段を遮断することにより、自動的に発光素子が消灯する。
【００１４】
上述の実施例における＋、−の極性を逆転させた回路構成にしても、本考案を実現することができることは勿論である。
【００１５】
さらに、図示しないが、第１接点１０及び第２接点１６のうちの少なくとも一方を、互いに接近する方向に押圧されるばね弾性を有する構造にし、傘を開ききってロックされる前に接点相互が接触可能にすると好適である。
【産業上の利用可能性】
【００１６】
本考案は、とくに、通学用交通安全対策として、幼児、小学生向けの傘だけではなく、イベント用等の装飾傘としても利用できる。
【図面の簡単な説明】
【００１７】
【図１】本考案による発光傘の実施例における、傘を開ききる前の傘軸の先端部分における線図的説明図である。
【符号の説明】
【００１８】
１  発光傘
２  傘軸
３  分電盤
４  親骨
４′親骨
５  上ろくろ
６  石突き
７  ＋コード
８  ＋端子
９  −コード
１０  第１接点
１１  接続コード
１２  −端子
１３  接点コード
１４  下ろくろ
１５  支骨
１６  第２接点
【図１】
0003111773.tif 000003
(57)【要約】【課題】箸と、食事用スプーンあるいはレンゲがその有する機能を損なわない範囲で、可能な限り使用時に不便が無いように組み合わせる手段を提供することを課題とする。【解決手段】１ａの箸に、５のホルダーを介して装着した２のスプーンは、食事用スプーンとして使用する際は７の箸受け部分で１ａと接しており、スプーンで食品を掬い上げても１ａと５で支持しているため、安定して口へと運ぶことができる。また、箸として使用する場合は、８の取っ手に指をかけて後方にはねあげて、４の回転軸を中心に、１の一対の箸を使用する際の邪魔にならない位置まで旋回移動させて使用するというように、必要に応じて箸とスプーンあるいはレンゲを使い分ける機能を付加させた食器を提供することで解決手段とする。【選択図】図１
0003111778.tif 000002
【実用新案登録請求の範囲】
【請求項１】
箸の片方に装着する、回転軸を中心に旋回する食事用スプーンあるいはレンゲであり、箸として使用する場合はスプーンを後方の使用の邪魔にならない位置まで旋回移動させ、スプーンあるいはレンゲとして使用する場合は箸の先端の定位置まで移動する、必要に応じて箸とスプーンあるいはレンゲを使い分ける機能を付加させた食器。
【考案の詳細な説明】
【技術分野】
【０００１】
本考案は、箸に装着することで、スプーンあるいはレンゲの機能を付加できる食器に関するものである。
【背景技術】
【０００２】
箸、食事用スプーン、食事用ナイフやフォークはすでに完成された形状の食事器具である。特に箸は日本国内の食卓では現代においても必要不可欠であり、次いで食事用スプーンの使用頻度は高い。
【０００３】
しかし、普段の食事でも箸だけでは不便を感じる食品目もある。例えば煮豆、チャーハンといった粒が細かくてまとまりの無い品目や、スープやシチューといった液状の品目といったものがそれであり、それらを食する場合は箸を置いて食事用スプーンやレンゲに持ち替えた後に食事を続けることになる。
【０００４】
上記とは異なる状況で、仮に食卓の食品目がチャーハンと中華スープが主となる食事であった場合などを想定してみると、食事用スプーンかレンゲのみで賄えるかとも思えるが、そこに漬物などの品目も加わっていれば、箸の出番はおおいにありえる。
【０００５】
上記までの背景より、日本国内の食卓では主に箸と食事用スプーンの両方の機能を有する食事器具があれば、食器を持ち替えることなく食事ができて便利になるのではないかと考えた。
【０００６】
ここに、平成１７年３月までの時点で上記のごとき問題点を解決する考案として提案されたものの１つの例として、食卓さじ状箸がある。
【特許文献１】特開２０００−９３２８２号公報
【０００７】
上記の考案では煮豆やチャーハンといった粒が細かくてまとまりの無い品目を食すには利便性を発揮し、その他、既成の箸には無い使用効果も発揮するが、それでもスープやシチューといった液状の品目といったものを食す際にはスプーンとしての機能は多少、損なわれるのではないかといった疑問点を挙げることができる。
【考案の開示】
【考案が解決しようとする課題】
【０００８】
解決しようとする問題点は、箸と、食事用スプーンあるいはレンゲがその有する機能を損なわない範囲で、可能な限り使用時に不便が無いように組み合わせる手段を提供することである。
【課題を解決するための手段】
【０００９】
本考案は、食事用スプーンあるいはレンゲの構造上の特徴を箸の片方に装着することで箸の自由度を極端に損なうことなく、既成のスプーンあるいはレンゲよりも著しく短くした柄の根元に回転軸を設け、軸を中心に旋回することで、箸として使用する場合はスプーンを後方の使用の邪魔にならない位置まで旋回移動させ、スプーンあるいはレンゲとして使用する場合は箸の先端の定位置まで移動させることで、必要に応じて箸とスプーンあるいはレンゲを使い分ける機能を付加させたことを、課題を解決するための手段とした食器。
【考案の効果】
【００１０】
食事をする際に箸と食事用スプーンを交換して使用するといった動作を比較した場合、従来ならばまず、箸を置き、スプーンに持ち替え、食事をし、スプーンを置いて、箸に持ち替え、食事を続けるというように６行程を必要とする。本考案は、上記の手段によって同様の行程を、スプーンを定位置に持ってきて、食事をし、スプーンを邪魔にならない位置まで旋回移動させ、箸で食事を続けるというように４行程で済ませることができ、より合理的に食事ができる。
【考案を実施するための最良の形態】
【００１１】
一対の箸の片方に、箸を扱う上で不都合が起こらない適切な位置に装着することで箸の自由度を極端に損なうことなく、既成のスプーンあるいはレンゲよりも著しく短くした柄の根元に回転軸を設け、軸を中心に旋回することで、箸として使用する場合はスプーンを後方の使用の邪魔にならない位置まで旋回移動させ、スプーンあるいはレンゲとして使用する場合は箸の先端の定位置まで移動させることで、必要に応じて箸とスプーンあるいはレンゲを使い分ける機能を付加させた食器の形態であること。
【実施例１】
【００１２】
図１は本考案の１実施例の構成図で、１ａの箸に、５のホルダーを介して装着した２のスプーンは、４の回転軸を中心に旋回できる。
【００１３】
上記図１はスプーンを使用する際の定位置にある状態を示していて、スプーンは６の梁を介して７の箸受け部分で１ａと接しており、スプーンで食事する際に食品を掬い上げても１ａと５で支持しているため、２がへたったり、３の柄がねじれたりすることなく、安定して掬い上げた食品を口へ運ぶことができる。
【００１４】
箸として使用する場合は、８の取っ手に指をかけて、２を後方にはねあげる力を加えれば、４を軸にスプーンは後方に旋回移動するから、１の使用の邪魔にならない位置まで移動させて使用すればよい。
【００１５】
上記の際、４を中心とした回転機構に一定位置で止まるロック機能を設けることも想定している。
【産業上の利用可能性】
【００１６】
食事のマナー等にこだわらないことを前提として、一般の家庭での食卓で利用されることによって、食生活を合理化することに役立つ。
【図面の簡単な説明】
【００１７】
【図１】箸にスプーンの機能を付加する食器の実施方法を示した構成図である。（実施例１）
【符号の説明】
【００１８】
１    一対の箸
１ａ  箸（食器装着側）
１ｂ  箸（食器未装着側）
２    スプーン部
３    柄部
４    回転軸
５    ホルダー
６    梁部
７    箸受け部
８    取っ手部
【図１】
0003111778.tif 000003
(57)【要約】    【課題】    飾り縁や廻り縁等縁材その他の建築材料であって、建築作業現場等における建築物その他への取り付け作業を簡単に行ない得るようにした。    【解決手段】    本考案の建築材料は、建物等への取り付け面に粘着剤を均一に塗布し、更に粘着剤を塗布した面に剥離紙を設けた構成であって、作業現場にてこの建築材料を取り付け固定する際に剥離紙を除いて粘着剤を露出させた上、この粘着剤が塗布されている面をこの建築材料を取り付ける面に圧着させて取り付け固定する。【選択図】            図１
0003111780.tif 000002
【実用新案登録請求の範囲】
【請求項１】
取り付けの際に取り付け面となる面に粘着剤を均一に塗布し、更に前記粘着剤の表面に剥離紙を設けた建築材料。
【考案の詳細な説明】
【技術分野】
【０００１】
本考案は建築材料に関するもので、特に家屋の建築や改装の際に簡単に接合、組み立てが可能な建築材料に関する。
【背景技術】
【０００２】
建築材料例えば飾り縁（廻り縁）等は、予め製造した材料を建築現場に運搬し、設計にもとづいて所定の位置に取り付ける作業が行なわれる。
【０００３】
このような作業は、建築材料を建物の壁や天井等の取り付け位置に釘にて取り付け固定するか建物の壁や天井等での取り付け面に接着剤を塗布し、その後所定位置に接着固定するものである。
【０００４】
そのため、現場での作業が容易ではなく、時間を要する。例えば比較的大きな、長い建築材料では、広い面積にわたって接着剤を均一に塗布し、その後接着剤が最も接着性の良い状態になった時にこれを接合すべき箇所に圧着して固定することにより取り付けられる。
【０００５】
そのため、建築材料の取り付けに時間を要し、一定の経験を有する作業者による作業が必要となる。
【０００６】
また、取り付け作業の際に接着剤を用いるために溶剤等による悪臭を発する等の問題もある。
【０００７】
特に、既に使用している建築物の改装その他で、内装の変更等の場合、前記悪臭の問題は作業者のみならず、建物を使用するもの（居住者）にも影響を及ぼすこととなる。
【考案の開示】
【考案が解決しようとする課題】
【０００８】
本考案が解決しようとする課題は、前述のように従来現場での作業が面倒であり、時間を安く、また接着剤の使用による悪臭の問題等を解決しようとするものである。
【０００９】
本考案は、建築材料を現場に運搬した後は、その取り付けが極めて簡単な建築材料を提供するものである。
【課題を解決するための手段】
【００１０】
本考案の建築材料は、その建築物への取り付けに際し取り付け面となる面に接着剤（粘着剤）を塗布し、その接着剤（粘着剤）の表面に剥離紙を貼った構成である。
【００１１】
以上のように、本考案の建築材料は、その製造時に建物等への取り付け面（接合面）にのり（接着剤）を均一に塗布し、その上に更に剥離紙を設けたもので、この本考案の建築材を現場に運搬し、取り付ける際に前記の剥離紙を剥離して接着取り付けものである。
【考案の効果】
【００１２】
本考案の建築材料は、現場にて接着により取り付ける際に、単に剥離紙を剥離した後に取り付け部分に圧着固定させることにより容易に取り付けが可能であるという効果を有する。
【考案を実施するための最良の形態】
【００１３】
次に本考案の実施の形態を図面をもとに説明する。
【実施例１】
【００１４】
図１は本考案の建築材料の実施例１の断面図である。
【００１５】
図１に示す本考案の実施例の建築材料は、部屋の壁、天井と壁との境界部分、壁と床との境界等に用いる廻り縁（飾り縁）を例としたもので、図に示す断面形状であって図面の前後（紙面に直角な方向）に伸びる例えば木製の材料である。
【００１６】
本考案の建築材料は、この例のような従来より知られている材料をもとにしている。
【００１７】
この図の（Ａ）に示すように、例えば本考案は、建築材料１において、その取り付け面１ａに例えばアクリル系の接着剤（粘着剤）１を均一に塗布したものに、シリコンよりなる剥離紙を設けた構成である。
【００１８】
ここで剥離紙３は、接着剤２の接着作用が失われないように又、他の物と取り付け面１ａが当たること等の際の保護を目的とするもので、剥離紙３を剥離する際に容易に剥離し得るので、剥離紙３を剥離することによって、接着面を取り付け部分に容易に接合し得るようにしたものである。
【００１９】
したがって、作業現場において、建築材料の接合面（取り付け面）に均一に接着剤を塗布する作業は必要なく、接合が極めて簡単になり、又悪臭等の問題も発生しない。
【００２０】
この図１に示す実施例の例えば図２に示すような部屋の壁面に取り付けて使用される。
【００２１】
例えば、図１のうち（Ａ）に示す建築材料は、図２の壁面１７に廻り縁１２として用いられるもので、壁面１７に接合させて取り付けられる。
【００２２】
本考案の建築材料は、前述のように図１の（Ａ）における接合面（取り付け面）１ａに粘着剤（接着剤）２を予め均一に塗布し他面に剥離紙３を貼った構成である。
【００２３】
したがって、現場にて、所定の長さに切断した後に、裏面（接合面）の剥離紙３をはがして露出した粘着剤２を例えば図２の壁１７の中央部分に圧着して固定する。
【００２４】
また、図１の（Ｂ）は本考案の実施例である他の廻り縁の断面図で、図２における壁面１７と床１８との境界部分に固定するものである。
【００２５】
図１の（Ｂ）に示す本考案の建築材料も木製の廻り縁６の背面６ａに粘着剤を均一に塗布した上に剥離紙８を設けたものである。
【００２６】
そして、作業現場において剥離紙８を除いた後に粘着剤７を利用して所定の位置に接着固定するものである。
【００２７】
この図１の（Ｂ）の実施例は、例えば図２に示す部屋の壁面１７のうちのその下端部分である床１８との境界部分に、前記の方法にて接着固定することにより、図２に示す廻り縁１３のように固定される。
【００２８】
以上述べた図１に示す実施例は、図２に示す部屋の廻り縁１２又は１３を例としたものであるが、天井１６と壁１７との境界部分の廻り縁１１用の本考案の建築材料や、部屋の入口１９の周辺部に用いる建築材料も従来使用されている木製の材料の接着面に予め粘着剤を均一に塗布したものの表面に剥離紙を設けることにより、本考案の建築材料を構成することができる。
【００２９】
更に、前記の廻り縁等は本考案の一例であって、その他の建築材料の取り付けにも本考案を適用し得る。
【００３０】
更に、木製の建築材料に限らず、木以外の材料よりなる建築材料にも本考案を適用することができ、例えば発泡スチロール、ポリウレタン、ガラス繊維強化プラスチックを材料として建築材料にも本考案を適用し得る。
【００３１】
このように、従来の接着剤を用いて取り付け固定していた材料にも、本考案を適用し得る。
【産業上の利用可能性】
【００３２】
本考案は、各種の建築材料への利用が可能であり、これによって作業が極めて簡単になる。
【図面の簡単な説明】
【００３３】
【図１】本考案の実施例の断面図
【図２】図１に示す実施例を用いた例を示す。
【符号の説明】
【００３４】
１    建築材料
２    粘着剤
３    剥離紙
【図１】
0003111780.tif 000003
【図２】
0003111780.tif 000004
(57)【要約】      （修正有）【課題】本考案の生ゴミ処理装置は、安価で誰でもが何処でも自在に、しかも何等かの特殊技術や知識を必要とせず、事業体から排出される生ゴミを処理することであり、更には、悪臭公害・環境汚染も無く、製品価格が他社比約３割方低廉に押えられており維持管理費の削減にも大きく貢献することである。【解決手段】移動可能な一体型の分解槽内に生ゴミを投入し、５分間隔で正転・逆転し左右に螺旋回転する撹拌羽根４で２０分撹拌した後、散水ノズル３が１５秒間作動し、次に下部洗浄ノズル７が１０秒間作動して、最後に２０分間運転を停止する。分解処理装置が動作環境（運転状態）にある間、連続して２０分間隔で運転・停止を繰り返す特性をもった生ゴミ分解処理装置である。【選択図】図１
0003111729.tif 000002
【実用新案登録請求の範囲】
【請求項１】
移動可能な一体型の分解槽内に５分間隔で左右に螺旋する撹拌羽根▲４▼（スパイラル・コンベア−方式）で２０分間撹拌した後に散水ノズル▲３▼で１５秒間散水し、次に下部洗浄ノズル▲７▼で１０秒間洗浄し、最後に２０分間の無動作（運転停止）にはいる。分解処理装置が動作環境（運転状態）にある間、連続して２０分作動し、２０分停止を繰り返す特性を持った生ゴミ分解処理装置である。
【考案の詳細な説明】
【考案の詳細な説明】
【０００１】  産業上の利用分野
本考案は、生ゴミの分解処理中に発する悪臭の脱臭装置を使わないで、悪臭の低減をはかると同時に生ゴミはほぼ全量炭酸ガス（ＣＯ２）と水（Ｈ２Ｏ）に分解し、残りの数％は、下水または浄化槽に排水して二次処理を行うために、悪臭公害の低減と産業廃棄物の排出ゼロ処理に貢献するものである。
【０００２】  従来の技術
現況の生ゴミ分解処理装置は、単なるスクリュウ方式であり、しかもスクリュウの羽根の大きさの範囲内のみの、一方通行方式の撹拌のため分解処理中に発生する悪臭の低減が難しい。、
事業体の要求する処理量を満たすための、処理時間の短縮及び処理装置の大型化による過大設備資金と悪臭公害解決の三点が隘路となってなっている。
【０００３】  考案が解決しようとする課題
処理時間の短縮及び処理装置の大型化による過大設備資金と悪臭公害解決の三点と維持管理費用の低減を解決するものである。
【０００４】  課題を解決するための手段
１．分解槽▲１▼
本考案は、一体型の分解槽内に悪臭の発生源となる分解途中の生ゴミが付着し難く、尚且内容物が容易に撹拌されるように、側面が垂直かつ平坦で撹拌羽根▲４▼に沿ったＵの字形状になっている。
散水ノズルによる水分と生ゴミの分解による余剰水分は、分解槽内に留まらず分解槽下部の無数の小さな穴より排水溝へ排出される。
２．投入口▲２▼
投入口の開閉と吸気ファン▲６▼がセンサ−に因り連動し、投入口が開けられると同時に分解槽内に僅かに滞留する臭気を排水槽▲５▼へ誘引する。
３．散水ノズル▲３▼
生ゴミ、特に米飯の塊や麺類等、菌床と絡みつきにくいものに水分を供給することでスム−スに撹拌することが出来る。
散水は霧状に分解槽全体に行き渡り、分解槽内に付着した内容物を洗い流す。更に、一定のサイクルで一定の時間（１５秒間）散水することで発酵温度の昇温を抑制し同時に分解速度を調整し悪臭の発生を防ぐ重要な働きをしている。
４．撹拌羽根▲４▼（スパイラル・コンベア−方式）
本装置の最大の特徴である右螺旋、左螺旋が組み合された羽根は、菌床と生ゴミを左右からぶつかり合うように効率よく満べんに撹拌できるので、悪臭の発生を抑制し分解速度の調整が可能である。
尚、撹拌羽根の回転は、モ−タ−▲９▼からチエ−ンを介して伝えられる。
５．排出槽▲５▼
分解槽下部の無数に開いた小さな穴から排出された水とその水に溶け込んだ微量な物質を集め、下水または浄化槽に排出する。
６．吸気ファン▲６▼
投入口の開閉と連動して、分解槽内に僅かに滞留する臭気を排出槽に誘引し外部へその臭気を出さない。
７．下部洗浄ノズル▲７▼
分解槽下部にある排出用の無数の小さな穴の目詰まりを防ぐ為に、シャワ−状の散水で洗浄する。
吸気ファン▲６▼により誘引された微量の臭気も散水により水に溶け込ませ、装置外部に排出させない。
８．ヒ−タ−▲８▼
分解槽▲１▼内に取付けられた温度センサ−で温度を感知し、分解槽▲１▼内の温度が設定温度以下になると通電し、生ゴミの分解速度が落ちることの無いように保温する。
９  モ−タ−▲９▼
拡拌羽根▲４▼を左右に螺旋させる電動機である。
【０００５】  考案の実施の形態
移動可能な一体型の分解槽内に生ゴミを投入し、５分間隔で正転・逆転し左右に螺旋回転する撹拌羽根▲４▼で２０分撹拌した後、散水ノズル▲３▼で１５秒間散水し、次に下部洗浄ノズル▲７▼で１０秒間洗浄して、最後に２０分間運転を停止する。
分解処理装置が動作環境（運転状態）にある間、連続して２０分間隔で運転・停止を繰り返す特性をもった生ゴミ分解処理装置である。
【０００６】  実施例
以下、添付図面に従って実施例を説明する。
１．分解槽、  ２．投入口、  ３．散水ノズル、  ４．撹拌羽根、  ５．排出槽、  ６．吸気ファン、  ７．下部洗浄ノズル、  ８．ヒ−タ−、  ９．モ−タ−である
【０００７】  考案の効果
上述の通り、本考案の生ゴミ処理装置は、安価で誰でもが何処でも自在に、しかも何等かの特殊技術や知識を必要とせず、事業体から排出される生ゴミを処理することが出来ることである。
更には、悪臭公害・環境汚染も無く、製品価格が他社比約３割方低廉に押えられており維持管理費の削減にも大きく貢献出来ることである。
【図面の簡単な説明】  図１及び図２【図１】：正面図・符合の説明  １．分解槽、  ３．散水ノズル、  ４．撹拌羽根、  ５．排出槽、  ６．吸気ファン、  ７．下部洗浄ノズル。
【図２】：右側面図・符合の説明  ２．投入口、  ８．ヒ−タ−、  ９．モ−タ
【図１】
0003111729.tif 000003
【図２】
0003111729.tif 000004
【手続補正書】
【提出日】平成16年9月16日(2004.9.16)
【手続補正２】
【補正対象書類名】実用新案登録請求の範囲
【補正対象項目名】全文
【補正方法】変更
【補正の内容】
【実用新案登録請求の範囲】
【請求項１】
▲１▼生ゴミ処理槽内の運転が５分間運転、１５分間休止を１サイクルとする運転モードを有する省エネ型
▲２▼生ゴミ処理槽内の水分調整を槽内が乾燥の場合は水の噴霧を行うこと
▲３▼前▲２▼の状態で水分過多の場合は底部に設けた排水機構より排水する
以上の機構を有する事を特徴とする生ゴミ分解処理装置。